(57)【特許請求の範囲】
【請求項１】
互いに電位が異なる第１ケーブルおよび第２ケーブルであって、第１の対の設置位置間に延びる前記第１ケーブルおよび第２の対の設置位置間に延びる前記第２ケーブルと、
各発光ダイオード（Ｌｉｇｈｔ  Ｅｍｉｔｔｉｎｇ  Ｄｉｏｄｅ：ＬＥＤ）ストリップが前記第１ケーブルおよび前記第２ケーブルと電気的に接続され、前記第１ケーブルと前記第２ケーブルとの間に延びる、複数のＬＥＤストリップと、
前記第１ケーブルおよび前記第２ケーブルの張力を調節するための、前記第１ケーブルおよび前記第２ケーブルに連結されるケーブルテンショナシステムと、を備え、
各ＬＥＤストリップは、第１コネクタを使用して前記第１ケーブルに連結されるとともに第２コネクタを使用して前記第２ケーブルに連結され、
前記ＬＥＤストリップは、前記第１コネクタと位置合わせするための第１インジケータと、前記第２コネクタと位置合わせするための第２インジケータとを備え、
前記第１インジケータは前記第２インジケータと異なる照明システム。
【請求項２】
前記第１インジケータは、前記ＬＥＤストリップに沿って揃った一対の凹みを備え、前記第２インジケータは、前記ＬＥＤストリップに沿って互い違いにずれた一対の凹みを備える、請求項１に記載の照明システム。
【請求項３】
前記ＬＥＤストリップは、前記第１コネクタおよび前記第２コネクタに連結可能な複数の接点を備える、請求項１または２に記載の照明システム。
【請求項４】
前記複数のＬＥＤストリップは、前記第１ケーブルおよび前記第２ケーブルに脱着可能に連結される、請求項１から３のいずれか一項に記載の照明システム。
【請求項５】
前記第１ケーブルおよび前記第２ケーブルのうち少なくとも１本は、銅芯と、前記銅芯よりも高い引張り強度を有する複数本のワイヤとを備える、請求項１から４のいずれか一項に記載の照明システム。
【請求項６】
前記ワイヤは鋼鉄である、請求項５に記載の照明システム。
【請求項７】
前記ケーブルテンショナシステムは、前記第１ケーブルの張力と前記第２ケーブルの張力とが独立して調整され得るように、前記第１ケーブルの一端に第１ケーブルテンショナを備え、前記第２ケーブルの一端に第２ケーブルテンショナを備える、請求項１から６のいずれか一項に記載の照明システム。
【請求項８】
前記ケーブルテンショナシステムはさらに、前記第１ケーブルの張力と前記第２ケーブルの張力とがそれぞれの両端部で調整され得るように、前記第１ケーブルの他端に第３ケーブルテンショナを備え、前記第２ケーブルの他端に第４ケーブルテンショナを備える、請求項７に記載の照明システム。
【請求項９】
前記第１ケーブルは、フレームから電気的に絶縁され、前記第２ケーブルは、前記フレームに電気的に結合される、請求項１から８のいずれか一項に記載の照明システム。
【請求項１０】
前記第１ケーブルは、電源の正端子に電気的に結合され、前記第２ケーブルは、前記電源の負端子に電気的に結合される、請求項１から９のいずれか一項に記載の照明システム。
【請求項１１】
前記ＬＥＤストリップはそれぞれ、前記ＬＥＤストリップに沿ってほぼ等間隔に離間された複数のＬＥＤを備え、
前記複数のＬＥＤストリップは、前記第１ケーブルおよび前記第２ケーブルに沿ってほぼ等間隔に離間される、請求項１から１０のいずれか一項に記載の照明システム。
【請求項１２】
前記ケーブルテンショナシステムは、前記設置位置に脱着可能に連結される、請求項１から１１のいずれか一項に記載の照明システム。
【請求項１３】
前記ケーブルテンショナのうち少なくとも１つは、アンカーを使用して前記設置位置の１つに固定される、請求項７または８に記載の照明システム。
【請求項１４】
前記アンカーが導電性である、請求項１３に記載の照明システム。
【請求項１５】
前記第１ケーブルテンショナは、前記アンカーに取り付けられ、
前記アンカーは、電気的に直列接続されている他の１つまたは複数のアンカーにより電源の正端子に電気的に結合される、請求項１４に記載の照明システム。
【請求項１６】
前記アンカーは、前記設置位置において押出ブラケットに沿って摺動可能である、請求項１３または１４に記載の照明システム。
【請求項１７】
前記第１の対の設置位置および前記第２の対の設置位置は、フレームの一部分である、請求項１から１６のいずれか一項に記載の照明システム。
【請求項１８】
前記第１の対の設置位置の各々および前記第２の対の設置位置の各々は、前記フレームの両側にある、請求項１７に記載の照明システム。
【請求項１９】
前記ＬＥＤストリップは、前記ＬＥＤストリップに照明されるカバーに対向する、請求項１から１８のいずれか一項に記載の照明システム。
【請求項２０】
前記ＬＥＤストリップはそれぞれ、前記ＬＥＤストリップの両面に複数のＬＥＤを備える、請求項１から１９のいずれか一項に記載の照明システム。
【請求項２１】
前記ＬＥＤストリップの両面は、前記ＬＥＤストリップに照明される各カバーに対向する、請求項１９に記載の照明システム。
【請求項２２】
前記カバーのうち少なくとも１つは、バナー、看板、広告および画像のうち任意の１つまたは複数を備える、請求項１９または請求項２１に記載の照明システム。
【発明の詳細な説明】
【技術分野】
【０００１】
（関連出願の相互参照）
本出願は、その全文が参照することにより本明細書に組み込まれる、２０１２年１０月３１日出願の米国特許仮出願第６１／７２０，６２６号の優先権を主張する。
【０００２】
本発明は概して、照明システム、より具体的には、発光ダイオード（Ｌｉｇｈｔ  Ｅｍｉｔｔｉｎｇ  Ｄｉｏｄｅ：ＬＥＤ）ストリップを備える照明システムに関する。
【背景技術】
【０００３】
従来の、市販のＬＥＤライトボックス等の中型および大型の照明システムは、そのサイズに起因して、輸送が難しくなり、そのため、輸送の複雑性およびコストが増すとともに、照明システムが使用されていないときに必要とされる保管スペースが大きくなる。さらに、照明システムは、多くの異なる部品（例えば、何百または何千のＬＥＤストリップ）から組み立てられることがあり、照明システム内での配置や照明システム内の他の部品への取り付けに時間のかかる手作業を必要とする。
【０００４】
本発明の目的は、上記欠点のうち少なくとも１つを克服するまたは軽減することである。特に、本発明の目的の１つは、公知の照明システムに伴う問題のうちの少なくとも１つを克服する照明システムを提供することである。
【発明の概要】
【０００５】
一態様では、組み立て式照明システム等の照明システムが提供される。この照明システムは、隅で一体となる押出アルミニウム桟のフレームと、フレームの両側間で張られる電気の流れる鋼鉄ケーブル上で組み立てられるとともにプリント基板（Ｐｒｉｎｔｅｄ  Ｃｉｒｃｕｉｔ  Ｂｏａｒｄ：ＰＣＢ）ストリップまたはＬＥＤストリップ上で一体にされる複数のＬＥＤとを備えている。
【０００６】
一態様では、互いに電位が異なる第１ケーブルおよび第２ケーブルを備える照明システムが提供される。第１ケーブルは第１の対の設置位置間に延び、第２ケーブルは第２の対の設置位置間に延びる。照明システムは、複数の発光ダイオード（ＬＥＤ）ストリップを備え、各ＬＥＤストリップは第１ケーブルおよび第２ケーブルと電気的に接続され、第１ケーブルと第２ケーブルとの間に延びる。照明システムは、第１ケーブルおよび第２ケーブルの張力を調節するための、第１ケーブルおよび第２ケーブルに連結されるケーブルテンショナシステムをさらに備える。
【０００７】
一態様では、各ＬＥＤストリップは、第１コネクタを使用して第１ケーブルに連結され、第２コネクタを使用して第２ケーブルに連結される。ＬＥＤストリップは、第１コネクタと位置合わせするための第１インジケータと、第２コネクタと位置合わせするための第２インジケータとを備えている。第１インジケータは第２インジケータと異なっている。いくつかの例では、第１インジケータは、ＬＥＤストリップに沿って揃った一対の凹みを備えていてもよく、第２インジケータは、ＬＥＤストリップに沿って互い違いにずれた一対の凹みを備えていてもよい。
【０００８】
いくつかの例では、ＬＥＤストリップは、第１コネクタおよび第２コネクタに連結可能な複数の接点を備えている。複数のＬＥＤストリップは、第１ケーブルおよび第２ケーブルに脱着可能に連結されてもよい。
【０００９】
いくつかの例では、第１ケーブルおよび第２ケーブルのうち少なくとも１本は、銅芯と、銅芯よりも高い引張り強度を有する複数本のワイヤとを備えている。より高い引張り強度を有するワイヤは、鋼鉄であってもよい。
【００１０】
いくつかの例では、ケーブルテンショナシステムは、第１ケーブルの張力と第２ケーブルの張力とが個別に調整可能となるように、第１ケーブルの一端に第１ケーブルテンショナを備え、第２ケーブルの一端に第２ケーブルテンショナを備える。ケーブルテンショナシステムはさらに、第１ケーブルの張力と第２ケーブルの張力とがそれぞれの両端部で調整可能となるように、第１ケーブルの他端に第３ケーブルテンショナを備え、第２ケーブルの他端に第４ケーブルテンショナを備える。
【００１１】
いくつかの例では、第１ケーブルは、フレームから電気的に絶縁され、第２ケーブルは、フレームに電気的に結合される。第１ケーブルは、電源の正端子に電気的に結合されてもよく、第２ケーブルは、電源の負端子に電気的に結合されてもよい。
【００１２】
いくつかの例では、ＬＥＤストリップは、ＬＥＤストリップに沿ってほぼ等間隔に離間された複数のＬＥＤを備えていてもよく、複数のＬＥＤストリップは、第１ケーブルおよび第２ケーブルに沿ってほぼ等間隔に離間されてもよい。
【００１３】
いくつかの例では、ケーブルテンショナシステムは、設置位置に脱着可能に連結される。
【００１４】
いくつかの例では、ケーブルテンショナのうち少なくとも１つは、アンカーを使用して設置位置の１つに固定される。アンカーは導電性であってもよい。第１ケーブルテンショナは、アンカーに取り付けられてもよく、アンカーは、電気的に直列接続されている１つまたは複数のその他のアンカーにより電源の正端子に電気的に結合されてもよい。いくつかの例では、アンカーは、設置位置において押出ブラケットに沿って摺動可能である。
【００１５】
いくつかの例では、第１の対の設置位置および第２の対の設置位置は、フレームの一部分であってもよい。第１の対の設置位置の各々および第２の対の設置位置の各々は、フレームの両側にあってもよい。
【００１６】
いくつかの例では、ＬＥＤストリップは、ＬＥＤストリップに照明されるカバーに対向する。ＬＥＤストリップの各々は、ＬＥＤストリップの両面に複数のＬＥＤを備えていてもよい。ＬＥＤストリップの両面は、ＬＥＤストリップに照明される各カバーに対向してもよい。カバーのうち少なくとも１つは、バナー、看板、広告および画像のうち任意の１つまたは複数を備えていてもよい。
【図面の簡単な説明】
【００１７】
ここで添付の図面を参照して、単なる例として本発明の実施形態を説明する。
【００１８】
【図１】例示的ライトボックスの斜視図である。
【図２】例示的照明システムの一部の切り欠き図および拡大図である。
【図３】例示的照明システムの分解斜視図である。
【図４】例示的ＬＥＤアセンブリの斜視図である。
【図５】例示的ＬＥＤアセンブリの斜視図および拡大図である。
【図６】例示的ＬＥＤストリップの斜視図である。
【図７】開放位置における例示的な第１コネクタの正面斜視図である。
【図８】ロック位置における例示的な第１コネクタの正面斜視図である。
【図９】開放位置における例示的な第１コネクタの背面斜視図である。
【図１０】ロック位置における例示的な第１コネクタの背面斜視図である。
【図１１】第１ケーブルを有する例示的な第１コネクタ、ピッカーおよび支持部の斜視図である。
【図１２】支持部に配置された第１ケーブルを有する例示的な第１コネクタ、およびピッカーの斜視図である。
【図１３】支持部に配置された第１ケーブルを有する例示的な第１コネクタ、および第１コネクタおよび第１ケーブルを押すピッカーの斜視図である。
【図１４】第１ケーブルおよびロックされた第１コネクタを有する例示的ＬＥＤストリップの斜視図および拡大図である。
【図１５】第１ケーブルおよび開放された第１コネクタを有する例示的ＬＥＤストリップの斜視図および拡大図である。
【図１６】第１ケーブルを有する例示的な開放された第１コネクタおよびＬＥＤストリップの一部の斜視図である。
【図１７】第１ケーブルを有する例示的な開放された第１コネクタおよび第１コネクタに配置されたＬＥＤストリップの一部の斜視図である。
【図１８】第１ケーブルを有する例示的な閉鎖された第１コネクタおよび第１コネクタに配置されたＬＥＤストリップの一部の斜視図である。
【図１９】第２ケーブル、アンカーおよびケーブルテンショナを有するフレームの、例示的な押出アルミニウム形材の部分斜視図である。
【図２０】フレームの例示的な押出アルミニウム形材、アンカーおよび第２ケーブル用ケーブルテンショナの部分分解図である。
【図２１】第２ケーブル、アンカーおよびケーブルテンショナを有するフレームの、例示的な押出アルミニウム形材の側面図である。
【図２２】図２１の断面図である。
【図２３】第１ケーブル、アンカーおよびケーブルテンショナを有するフレームの、例示的な押出アルミニウム形材の部分斜視図である。
【図２４】フレームの例示的な押出アルミニウム形材、アンカーおよび第１ケーブル用ケーブルテンショナの部分分解図である。
【図２５】第１ケーブル、アンカーおよびケーブルテンショナを有するフレームの、例示的な押出アルミニウム形材の断面図である。
【図２６】第２ケーブル、アンカーおよび別の例示的ケーブルテンショナを有するフレームの、例示的な押出アルミニウム形材の部分斜視図である。
【図２７】フレームの例示的な押出アルミニウム形材、アンカーおよび第２ケーブル用の別の例示的ケーブルテンショナの部分分解図である。
【図２８】第２ケーブル、アンカーおよび別の例示的ケーブルテンショナを有するフレームの、例示的な押出アルミニウム形材の側面図である。
【図２９】図２８の断面図である。
【図３０】第１ケーブル、アンカーおよび別の例示的ケーブルテンショナを有するフレームの、例示的な押出アルミニウム形材の部分斜視図である。
【図３１】フレームの例示的な押出アルミニウム形材、アンカーおよび第１ケーブル用の別の例示的ケーブルテンショナの部分分解図である。
【図３２】第１ケーブル、アンカーおよび別の例示的ケーブルテンショナを有するフレームの、例示的な押出アルミニウム形材の断面図である。
【図３３】柱で使用される例示的照明システムの切り欠き図および拡大図である。
【発明を実施するための形態】
【００１９】
説明の簡便さおよび明瞭さのため、適切であると考えられる場合、参照番号は対応するかまたは類似の要素を示すよう複数図面間で繰り返されてもよいことが理解されよう。加えて、多数の特定の詳細は、本明細書に記載される例示的実施形態の完全な理解をもたらすために記述される。しかし、当業者によって、本明細書に記載される例示的実施形態はこれらの特定の詳細なしに実践され得ると理解されるであろう。
【００２０】
その他の場合、本明細書に記載される例示的実施形態を不明瞭なものとしないために、公知の方法、手順および部品は詳細に記述されていない。また、本明細書は、本明細書に記載される例示的実施形態の範囲を限定するものとしてみなされるべきではない。
【００２１】
図１は、ライトボックス用途で使用される例示的な照明システム２の斜視図である。例示的な中型の照明システム２の相対的なサイズを例示するため、ライトボックスは人１の横に示されている。他の例では、照明システム２のサイズは、図示された例示的な照明システム２よりもかなり大きいことや小さいこともあり得る。本例では、照明システム２は、フレーム３およびフレーム３に沿って設置されるカバー７とともに使用される。カバー７は、バナー、看板、広告、画像またはその他のコンテンツを表示することができ、カバー７の裏側の照明システム２によって照明され得る任意の材料で製造することができる。例えば、カバー７は、１つまたは複数の印刷画像が載った布地で製造することができる。カバー７は、任意の好適な手段を使用してフレームに設置されている。例えば、フレーム３の全体に広げられて取り付けられたバナーを保持するために、シリコンのストリップが、カバー７の縁部に沿って縫い付けられた後、フレーム３に沿った溝に挿入されている。
【００２２】
図２、図３は、例示的な照明システム２を示している。照明システム２は、少なくとも１本の第１ケーブル５と、少なくとも１本の第２ケーブル４０と、ＬＥＤ１０を有する複数のＬＥＤストリップ４とを備えている。一例では、第１ケーブルおよび第２ケーブルは、フレーム３の高さ全体に沿ってフレーム３の両側の間に延び、フレーム３の両側に連結されている（例えば、図３の第１ケーブル５’および第２ケーブル４０’）。別の例では、第１ケーブルおよび第２ケーブルは、フレーム３の高さの一部に沿ってフレーム３の両側の間に延びている（例えば、図３の第１ケーブル５”および第２ケーブル４０”）。その場合には、フレーム３は、第１ケーブル５”および第２ケーブル４０”の一端が連結される側部を有する中間部分３”を備えている。複数のＬＥＤストリップ４は、ＬＥＤストリップ４の端部近傍で第１ケーブル５および第２ケーブル４０に電気的に接続されて、ＬＥＤアセンブリ４４を形成する。
【００２３】
図４、図５には、第１ケーブル５、第２ケーブル４０およびＬＥＤストリップ４からなる例示的なＬＥＤアセンブリ４４の斜視図が示されている。ＬＥＤストリップ４は、第１ケーブル５および第２ケーブル４０と交わるように連結されており、ＬＥＤ１０の列は、マトリックスまたは格子状に配置されている。各ＬＥＤストリップ４は、第１コネクタ８を使用して第１ケーブル５に連結され、第２コネクタ９を使用して第２ケーブル６に連結される。ＬＥＤアセンブリ４４は、ケーブルテンションシステムによってフレーム３に設置することができる。例示的なケーブルテンショナシステムは、第１ケーブル５および第２ケーブル４０の各端部にケーブルテンショナ１９を備えている。第１ケーブルテンショナ１９は、第１ケーブル５の一端をフレーム３の一側に連結し、第２ケーブルテンショナ１９は、第１ケーブル５の他端をフレーム３の反対側に連結する。第３ケーブルテンショナ１９は、第２ケーブル４０の一端をフレーム３の一側に連結し、第４ケーブルテンショナ１９は、第２ケーブル４０の他端をフレーム３の反対側に連結する。
【００２４】
ＬＥＤストリップ４は、第１ケーブル５および第１コネクタ８を介してＬＥＤストリップ４の正端子に正端子が電気的に接続された電源により電力供給され得る。電源の負端子は、第２ケーブル４０および第２コネクタ９を介してＬＥＤストリップ４の負端子に電気的に接続され得る。電流はＬＥＤストリップ４を通って流れ、ＬＥＤ１０に電力を供給し、ＬＥＤ４を発光させる。第１コネクタ８および第２コネクタ９はそれぞれ、（製作公差および他の実用的制約を受けて）ほぼ等間隔で第１ケーブル５および第２ケーブル４０に固定され得るため、各ＬＥＤストリップ４間の距離は同一であり、カバー７に拡散される光が均一になる。別の例では、ＬＥＤストリップは、ＬＥＤストリップ４に沿って（製作公差および他の実用的制約を受けて）ほぼ等間隔に配置される複数のＬＥＤを備え、ＬＥＤストリップ４は、ＬＥＤ１０がＬＥＤストリップ４上で離間されるのと同じ距離で第１ケーブル５および第２ケーブル４０に沿ってほぼ等間隔に配置されるため、ＬＥＤ１０は、ケーブルとＬＥＤストリップ４の両方の方向に沿って均一に分布する。他の例では、ＬＥＤ１０は、ＬＥＤストリップ４に沿って不均一に配置されたり、また、ＬＥＤストリップ４は、第１ケーブル５および第２ケーブル４０に沿って不均一に配置されたりする。
【００２５】
図６には、例示的なＬＥＤストリップ４が示されている。一態様では、ＬＥＤストリップ４は、１つまたは複数の正端子接点および負端子接点を備え、電源に接続されるとＬＥＤ１０を発光させるプリント基板である。図６の例示的なＬＥＤストリップ４は、その長さ全体に複数のＬＥＤ１０を備えている。一例では、ＬＥＤストリップ４は、各ＬＥＤ１０間で切ることができ、それによりＬＥＤストリップ４の長さをさまざまなサイズのフレームに対して調節可能とすることができる。
【００２６】
図７〜図１０には、例示的な第１コネクタ８が示される。第１コネクタ８は、コネクタロック１１と協働してコネクタ本体６０の内部表面とコネクタロック１１の間にＬＥＤストリップ４を固定できるコネクタ本体６０を備えている。図７は、コネクタロック１１がコネクタ本体６０と係合していない開放位置における第１コネクタ８の正面斜視図である。図８は、コネクタロック１１がコネクタ本体６０と係合しているロック位置における第１コネクタ８の正面斜視図である。第１コネクタ８はさらに、第１ケーブル５を受容するケーブル穴１２と、ケーブル穴１２内に置かれた第１ケーブル５をＬＥＤストリップ４の正端子に電気的に接続する電流点１３を備えている。第１コネクタ８はさらに、ケーブル穴１２内に置かれるケーブルケースを備えており、ケーブルケースは、電流点１３に電気的に接続されている。一例では、ケーブルケースは、電流点に電気接続される銅または他の導電性金属製の円筒形チューブである。ケーブルケースは、第１ケーブル５を受容し、ケーブル穴１２内に保持することができる。
【００２７】
一例では、第１コネクタ８の部品は、電流点１３およびケーブルケースを除いて、プラスチック等の非導電性材料で製造される。電流点１３は、銅等の導電性金属で製造されて、第１ケーブル５から受け取った電流をＬＥＤストリップ４に伝達できる。
【００２８】
図９および図１０には、開放位置（図９）およびロック位置（図１０）における例示的な第１コネクタ８の後面斜視図が示されている。コネクタ本体６０は、第１ケーブル５を第１コネクタ８に連結するために使用されるケーブルロック穴１５を備えている。
【００２９】
図１１〜図１３は、第１ケーブル５を第１コネクタ８に連結する例示的な方法を示している。第１ケーブル５は、ケーブル穴１２を通して配置され、ケーブル穴１２内部のケーブルケースに受容される（図１１）。第１コネクタ８はその後、支持部１７上に置かれる（図１２）。次いで、第１ケーブル５は、ケーブルロック穴１５の位置をピッカー１６（または他の好適な器具）で妥当な力でもって押圧され、ケーブルケースによって受容される第１ケーブル５を保持するようにケーブルケースを変形させて、ケーブルケースと第１ケーブル５との間に圧着接触をもたらす（図１３）。ピッカー１６によるケーブルケースおよび第１ケーブル５の機械的変形によって、第１ケーブル５とケーブルケースが結合され、電気的に接続される。
【００３０】
第１コネクタ８が第１ケーブル５に連結された後、ＬＥＤストリップ４は、第１コネクタ８を使用して第１ケーブル５に固定される。図１４は、コネクタロック１１がコネクタ本体６０に固定されることでロック位置において第１コネクタ８によって一端が固定されるＬＥＤストリップ４の例を示している。図１５は、開放位置において第１コネクタ８内に置かれるＬＥＤストリップ４の例を示している。第１コネクタ８を使用してＬＥＤストリップ４を第１ケーブル５に固定する例を図１６〜図１９に示す。ＬＥＤストリップ４は、第１コネクタ８のコネクタ本体６０内に配置され（図１７）、それからコネクタロック１１をコネクタ本体６０に固定することで第１コネクタ８に固定される。
【００３１】
図６を再び参照し、例示的実施形態では、ＬＥＤストリップ４は、ＬＥＤストリップ４の正端子接点の位置を示す正位置合わせインジケータ５４と、ＬＥＤストリップ４の負端子接点の位置を示す負位置合わせインジケータ５６とを備えている。一例では、正位置合わせインジケータ５４および負位置合わせインジケータ５６は異なっている（例えば、正位置合わせインジケータ５４は揃った凹みであり、負位置合わせインジケータ５６は互い違いにずれた凹みである）ため、ＬＥＤストリップ４の正端子および負端子は容易に見分けられる。別の例では、第１コネクタ８は、ＬＥＤストリップ４の正位置合わせインジケータ５４（図６）と位置を合わせて噛み合わせるためのポジショナ１４（図７）を備えている。ＬＥＤストリップ４における正位置合わせインジケータ５４の揃った凹みの例では、第１コネクタ８のポジショナ１４は、凹み内に固定して収まるように寸法決めされた、揃った突起である。同様に、負位置合わせインジケータ５６の互い違いにずれた凹みの例では、第２コネクタ９は、互い違いにずれた凹みに噛み合うように配置され寸法決めされた、互い違いにずれたポジショナを有することができる。したがって、ＬＥＤストリップ４の異なる位置合わせインジケータならびに第１コネクタ８および第２コネクタ９の異なるポジショナにより、ＬＥＤストリップ４の正端子が第１コネクタ８（電源の正端子を提供する）にのみ連結され得ること、および、ＬＥＤストリップ４の負端子が第２コネクタ９（電源の負端子を提供する）にのみ連結され得ることが保証される。
【００３２】
第１コネクタ８の説明は第２コネクタ９にも適用可能である。一例では、第１コネクタ８および第２コネクタ９は同一である。別の例では、第１コネクタ８および第２コネクタ９は、ポジショナの構成が異なり、ＬＥＤストリップ４の異なる部分に連結される。
【００３３】
上述のように、第１ケーブル５および第２ケーブル４０の端部は複数のケーブルテンショナ１９を使用してフレーム３に固定できる。例えば、図１９は、ケーブルテンショナ１９を使用してフレーム３の押出アルミニウム桟１８に固定された第２ケーブル４０を示している。ケーブルテンショナ１９は、フレーム３に固定されたアンカー２０に連結される。一例では、アンカー２０は、フレーム３のアルミニウム桟１８の溝内に置かれており、適切に配置されるように溝に沿って摺動可能となっている。アンカー２０は、固定セットスクリュー２１を使用してフレーム３に固定することが可能であり、ケーブルテンショナ１９は、主セットスクリュー２３を使用してアンカーに取り付けることができる。アンカー２０をフレーム３に、かつ／またはケーブルテンショナ１９をアンカー２０に固定するために、その他の好適な締結手段が使用されてもよい。図２０は、第２ケーブル４０を除いた図１９の要素の分解図である。図２１は、押出アルミニウム桟１８に挿入されたアンカー２０の側面図であり、主セットスクリュー２３によってアンカー２０に取り付けられたケーブルテンショナ１９内を第２ケーブル４０が通っている。ケーブルテンショナ１９は、第２ケーブル４０の端部をフレーム３の一側に連結し、第２ケーブル４０の張力を調整するために使用される。
【００３４】
一例では、ケーブルテンショナ１９は、第２ケーブル４０の端部２２を受容し、フレーム３全体に延びる第２ケーブル４０の長さを調節することによって第２ケーブル４０の張力を調整し、さらに第２ケーブル４０の長さが固定されると第２ケーブル４０を引っ張る。例示的ケーブルテンショナ１９の断面図を図２２に示す。この例では、ケーブルテンショナ１９によって第２ケーブル４０は容易にフレーム３の方へは移動できるが、ロックを解除しないかぎり他方向への移動はできない。ケーブルテンショナは、上部ケース２７、中間体３０、回転体３２、ならびにばね２９および球体２６を利用するロック機構を備えている。第２ケーブル４０は、球体２６を取り囲む上部ケース２７内の球体ケース２５を通過し、中間体３０の側方出口穴からケーブルテンショナ１９を出ている。中間体３０は、上部ケース２７と中間体３０との間にあるねじによって上部ケース２７に取り付けられている。球体ケース２５は、球体２６とともに、上部ケース２７の上方へばね２９によって押され、ばね錠２８により適切な位置に保持される。回転体３２は、スクリュー３１によって中間体３０へと回転可能に取り付けられている。内部ナット３３は、ねじによって回転体３２に取り付けられる。内部ナット３３はさらに、主セットスクリュー２３を受容するために雌ねじを備えている。主セットスクリュー２３は、ねじによってアンカー２０に取り付けられる。ケーブルロック２４は、ケーブルを所望の位置にロックできる。ケーブルロック２４が上部ケース２７の周りで回転すると、球体ケース２５とケーブルロック２４との間のねじにより球体ケース２５が上方へ移動し、これにより球体２６が第２ケーブル４０に押し付けられ、第２ケーブル４０を適切な位置にロックしその移動を防止する。第２ケーブル４０の張力を調整して、第２ケーブル４０をフレーム３に固定するために、他の種類のケーブルテンショナを使用してもよい。
【００３５】
一例では、第２ケーブル４０をフレーム３に取り付け、また、第２ケーブル４０をケーブルテンショナ１９に通してからフレーム３から離すことによって第２ケーブル４０を調節する。次いで、アンカー２０をフレーム３の押出アルミニウム桟１８内に配置し、固定セットスクリュー２１を使用してフレーム３に固定し、その後主セットスクリューをアンカー内へ螺入する。内部に第２ケーブル４０を備えたケーブルテンショナ１９はその後、ケーブルテンショナ１９の内部ナット３３に主セットスクリュー２３を螺入することによってアンカー２０に取り付けられる。
【００３６】
図２３〜図２５を参照し、フレーム３から第１ケーブル５を絶縁するための絶縁体３４を追加した上で、第２ケーブル４０に関して記載されたのと同様にして、ケーブルテンショナ１９を使用して第１ケーブル５をフレーム３に取り付けることができる。一例では、絶縁体３４は、アンカー３５とフレーム３の押出アルミニウム桟１８との間に配置され、アンカー３５を押出アルミニウム桟１８から絶縁する。アンカー３５をフレーム３に固定するために使用される固定セットスクリュー３７は、ポリエステルまたはその他の非導電性材料から製造することができる。
【００３７】
一例では、第１ケーブル５を使用して電源からの電流を伝達してＬＥＤストリップ４に電力を供給する。この例では、アンカー３５は、ジャンパースクリュー３６（図２３および図２４）で接続されたケーブル３８によって電源（または別の第１ケーブル５のアンカー３５等の中間接点）からの電流を受け取る。ケーブル３８は、電源の正端子に接続される。電源の負端子は、第２ケーブル４０のアンカー２０に、またはフレーム３に直接接続される。
【００３８】
図２〜図３を再び参照すると、ＬＥＤアセンブリ４４が組み立てられてフレーム３に取り付けられると、第１ケーブル５および第２ケーブル４０の高さはケーブルテンショナ１９を使用して調節される。例えば、第１ケーブル５および第２ケーブル４０の端部は、桟１８の方向または球体ケース２５を押し下げてケーブルを反対方向に解放する方向へと引っ張られる。ケーブルの距離がおおよそ調節されると、ケーブルロック２４はより細かい調整のためにしっかりと締められ、主セットスクリュー２３を中心に回転体３２を回転させることによって張力が調節される。ケーブルを真っ直ぐにし、かつ／またはケーブルを真っ直ぐに維持するために、ケーブルテンショナ１９を使用して第１ケーブル５および第２ケーブル４０に対する張力を適用することが可能である。
【００３９】
別の実施形態では、第１ケーブル５および第２ケーブル４０は、銅芯と、鋼鉄等のより高い引張り強度を有する複数のワイヤとを備えていてもよい。例えば、第１ケーブル５および第２ケーブル４０は、鋼鉄（例えば、ステンレス鋼）製の６つの束または鋼鉄および銅（もしくは銅合金）を組み合わせた束に取り囲まれた、１９本のワイヤからなる銅芯を有する７×１９ケーブルを備えていてもよい。第１ケーブル５および第２ケーブル４０の引張り強度を高めることにより、ケーブルはより大きな張力に耐えることができるため、第１ケーブル５および第２ケーブル４０をより大きな力で引っ張ることで、第１ケーブル５および第２ケーブル４０の全体に延びる、より平坦で平面的なＬＥＤ１０の配置を行うことができる。より平坦な配置によって、ＬＥＤ１０がフレーム３内でカバー７から均一に離間されるため、より均一な照明が提供できる。また、より平坦な配置によって、ＬＥＤ平面の凸凹度が小さくなるかまたは凸凹でなくなるため、フレームはより薄い形材で製造できる。
【００４０】
別の実施形態では、照明システム２の両外面にカバー７が設置できるように、ＬＥＤストリップ４は、ＬＥＤストリップ４の両面にＬＥＤ１０を備えていてもよい。
【００４１】
例示的実施形態では、照明システム２は現場で組み立てられてもよい。別の例では、ＬＥＤストリップ４は、脱着可能に第１コネクタ８および第２コネクタ９に連結されてもよい。また、ケーブルテンショナ１９（したがって、照明アセンブリ４４）は脱着可能にフレーム３に連結されてもよい。フレームはさらに、組み立てられ／分解され得る部品から構成されてもよい。
【００４２】
フレーム３は、ケーブルテンショナ１９をフレーム３に固定できる任意の好適なブラケットまたは押出形材を備えていてもよい。さらに、フレーム３の形状は、第１ケーブル５および第２ケーブル４０がフレームの両側に取り付けられ得る、正方形、矩形または任意の他の形状であってもよい。
【００４３】
図２６〜図２９は、第２ケーブル４０とともに使用できるケーブルテンショナ１９’の別の例を示している。図２９に示すように、ケーブルテンショナ１９’は、上部６０、調整部６２および下部６４を備えている。上部は、第２ケーブル４０を受容し、第２ケーブルをスクリュー（図示せず）または任意の他の好適な締結手段を使用して固定する。下部６４は、調整部６２の内表面でねじによって調整部６２が主セットスクリュー２３と係合するように、主セットスクリュー２３を受容するボアを備えている。下部６４および上部６０は共に取り付けられて、調整部６２の上下を取り囲む。調整部６をフレーム１８の方へまたはフレーム１８から離れるように移動させることで上部６０を調整部６２とともに移動させ、第２ケーブル４０がアンカー２０の方へまたはアンカー２０から離れるように引っ張られることで第２ケーブル４０の張力が調整されるように、調整部６２は、螺入された主セットスクリュー２３を中心に回転させられる。ケーブルテンショナ１９’の部品は、導電性材料から製造されており、第２ケーブル４０と、アンカー２０の主セットスクリュー２３とを電気的に接続する。
【００４４】
図３０〜図３２を参照すると、フレーム３から第１ケーブル５を絶縁するための絶縁体３４を追加した上で、第２ケーブル４０に関して記載されたのと同様にして、ケーブルテンショナ１９’を使用して第１ケーブル５をフレーム３に取り付けることができる。
【００４５】
上記の例はフレーム３内に設置された照明システム２について説明したが、照明システム２は、その他の設置位置および環境でも使用できる。例えば、第１ケーブル５および第２ケーブル４０が床から天井まで延びるように、アンカー２０が天井および床に固定されてもよい。別の例では、アンカー２０は、フレーム３の代わりに所望の設置位置に位置するブラケットに取り付けることができる。
【００４６】
別の例では、図３３は、柱を取り囲む円柱カバー７を照明するために柱７０で使用される照明システム２を示している。この例では、照明システム２の各ＬＥＤアセンブリ４４は、柱７０の高さの一部に配置されている。第１ケーブル５および第２ケーブル４０は、柱７０の円周に延びている。この例では、ＬＥＤストリップ４は垂直方向に延びている。第１ケーブル５の端部は、アンカー２０に連結されるケーブルテンショナ１９’に連結されている。アンカー２０は、柱７０に固定されるブラケット７２に固定されている。この例から、照明システム２は種々の異なる設置位置に使用できることが明らかである。いくつかの例では、ブラケットまたはその他の設置アセンブリを使用してアンカー２０または照明システム２のその他の部品をある設置位置に取り付けることができる。ＬＥＤアセンブリを形成するために、第１ケーブル５および第２ケーブル４０は、垂直に、水平にまたは他の方向に配向されてもよく、平坦であるか、湾曲しているかまたはその他の形状の表面に従うように形成されてもよい。
【００４７】
本発明は特定の実施形態に関して記載されているが、添付の請求の範囲に概説されるような本発明の趣旨および範囲を逸脱することなく、種々の変形が当業者には明らかであろう。上で引用された参考文献すべての全開示は参照することにより本明細書に組み込まれる。
【図１】
0006284534.tif 000002
【図２】
0006284534.tif 000003
【図３】
0006284534.tif 000004
【図４】
0006284534.tif 000005
【図５】
0006284534.tif 000006
【図６】
0006284534.tif 000007
【図７】
0006284534.tif 000008
【図８】
0006284534.tif 000009
【図９】
0006284534.tif 000010
【図１０】
0006284534.tif 000011
【図１１】
0006284534.tif 000012
【図１２】
0006284534.tif 000013
【図１３】
0006284534.tif 000014
【図１４】
0006284534.tif 000015
【図１５】
0006284534.tif 000016
【図１６】
0006284534.tif 000017
【図１７】
0006284534.tif 000018
【図１８】
0006284534.tif 000019
【図１９】
0006284534.tif 000020
【図２０】
0006284534.tif 000021
【図２１】
0006284534.tif 000022
【図２２】
0006284534.tif 000023
【図２３】
0006284534.tif 000024
【図２４】
0006284534.tif 000025
【図２５】
0006284534.tif 000026
【図２６】
0006284534.tif 000027
【図２７】
0006284534.tif 000028
【図２８】
0006284534.tif 000029
【図２９】
0006284534.tif 000030
【図３０】
0006284534.tif 000031
【図３１】
0006284534.tif 000032
【図３２】
0006284534.tif 000033
【図３３】
0006284534.tif 000034